(57)【特許請求の範囲】
【請求項１】
操作部を、芯材に巻き回されたフィルムで覆う操作部用カバー装置であって、
前記フィルムの両側をそれぞれ保持する一対のフィルム保持部を備え、
前記一対のフィルム保持部のうち一方のフィルム保持部は前記フィルムを巻き取る巻き取り側保持部であり、他方のフィルム保持部は前記フィルムが引き出される引き出し側保持部であり、
前記一対のフィルム保持部の各々は、前記操作部の両側において前記芯材を支持しており、
前記フィルムは、一対の前記芯材によって張り渡され、
前記フィルムにおける一対の前記芯材によって張り渡された部分は、一対の前記芯材に対して前記操作部側に位置しており、
前記巻き取り側保持部を回転操作して、前記張り渡された部分における前記操作部と対向する面が外周側になるように前記フィルムを前記芯材に巻き取る構成である操作部用カバー装置。
【請求項２】
１ロール分の前記フィルムを使い終わる毎に、前記一対のフィルム保持部における前記フィルムを巻き取る方向が反対になるように構成された請求項１に記載の操作部用カバー装置。
【請求項３】
前記一対のフィルム保持部の各々は、前記芯材の一端を支持する第１支持部と、前記芯材の他端を支持する第２支持部を有しており、
前記第１支持部は、回転して前記フィルムの巻き取り及び引き出しを行う第１回転部を有し、前記第１回転部の先端が他端側を向いた状態において、前記フィルムの巻き取り及び引き出しを行い、前記第１回転部の先端が上を向いた状態において、前記フィルムの交換を行う構成である請求項１又は請求項２に記載の操作部用カバー装置。
【請求項４】
前記第２支持部は、回転して前記フィルムの巻き取り及び引き出しを行う第２回転部と、前記第２回転部を支持する軸受け部とを有し、
前記軸受け部は、上方に向けて開放した溝状をなし、前記第２回転部を上下に脱着自在である請求項３に記載の操作部用カバー装置。
【請求項５】
前記一対のフィルム保持部は、前記操作部が載置される台車に対して着脱自在である請求項１から請求項４までのいずれか１項に記載の操作部用カバー装置。
【請求項６】
前記操作部は、ボード形状を有しており、
前記一対のフィルム保持部は、前記操作部を厚さ方向と直交する方向から挟み込む請求項１から請求項５までのいずれか１項に記載の操作部用カバー装置。
【請求項７】
前記操作部が載置されるベース部を備え、
前記一対のフィルム保持部は、前記ベース部の両側に固定されている請求項１から請求項４までのいずれか１項に記載の操作部用カバー装置。
【請求項８】
前記一対のフィルム保持部の各々は、前記フィルムの巻き取り及び引き出しをロックするロック部を有している請求項１から請求項７までのいずれか１項に記載の操作部用カバー装置。
【発明の詳細な説明】
【技術分野】
【０００１】
本開示は、操作部用カバー装置に関する。
【背景技術】
【０００２】
特許文献１には、キーシートをスリーブ内に巻き取って収納するキーボードが開示されている。このキーボードは、使用しない時にはキーシートをスリーブ内に収納して、キーシートに塵等の汚れが付着することを防止する。
【先行技術文献】
【特許文献】
【０００３】
【特許文献１】特開２０１２−２７９１５号公報
【発明の概要】
【発明が解決しようとする課題】
【０００４】
昨今、新型コロナウイルス感染症の流行が世界的な問題となっている。新型コロナウイルスなどの感染症対策の一つとして、ユーザの手が触れるキーボード等の操作部を清潔に操作するための技術が求められている。
【０００５】
特許文献１に開示の技術は、キーシートを使用しない時にはスリーブ内に収納して塵等の汚れが付着しないとしても、毎回同じキーシートにユーザの手が触れるから、感染症対策としては不十分である。
【０００６】
本開示は、上記従来の実情に鑑みてなされたものであって、操作部を清潔に操作することができる操作部用カバー装置を提供することを解決すべき課題としている。
【課題を解決するための手段】
【０００７】
本開示の操作部用カバー装置は、操作部をフィルムで覆う操作部用カバー装置であって、前記フィルムの両側をそれぞれ保持する一対のフィルム保持部を備え、前記一対のフィルム保持部のうち一方のフィルム保持部は前記フィルムを巻き取る巻き取り側保持部であり、他方のフィルム保持部は前記フィルムが引き出される引き出し側保持部である。
【０００８】
この操作部用カバー装置によれば、巻き取り側保持部によって使用済みのフィルムを回収し、引き出し側保持部から未使用のフィルムを供給することができる。このため、操作部を清潔なフィルムでカバーできる。
【０００９】
したがって、本開示の操作部用カバー装置を用いることによって、操作部を清潔に操作することができる。
【図面の簡単な説明】
【００１０】
【図１】実施形態１の操作部用カバー装置を示す斜視図である。
【図２】操作部用カバー装置の分解斜視図である。
【図３】操作部用カバー装置の前面図である。
【図４】図３のＡ−Ａ線断面図である。
【図５】操作部用カバー装置の使用態様を説明する図である。
【図６】実施形態２の操作部用カバー装置の前面図である。
【図７】実施形態３の操作部用カバー装置の断面図である。
【図８】操作部用カバー装置の使用態様を説明する図である。
【発明を実施するための形態】
【００１１】
実施形態１の操作部用カバー装置１０として、図１に示すように、医療用カート（台車）２に装着されるものを例示する。医療用カート２は、病院等の医療機関において看護師や医療従事者が種々の物品を移動する際に使用するものである。医療用カート２は、ノートブック型パーソナルコンピュータ（ノート型ＰＣ）等の電子機器４を載置する天板３を備えている。電子機器４は、キーボード（操作部）５が設けられた本体６と、ディスプレイ７とをヒンジで開閉可能に連結したクラムシェル型のノート型ＰＣである。キーボード５は、ボード形状を有する操作部の一例である。以下の説明では、操作部用カバー装置１０について、ユーザが使用する状態を基準とし、手前側を前方、奥側を後方とし、鉛直方向を上下方向とし、左右方向を左右方向とする。
【００１２】
操作部用カバー装置１０は、キーボード５をフィルム１１で覆う装置である。操作部用カバー装置１０は、フィルム１１の両側をそれぞれ保持する一対のフィルム保持部２０，２０を備えている。
【００１３】
フィルム１１は、図２に示すように、芯材１２に巻き回されている。フィルム１１としては、食品包装用ラップフィルム等の汎用のフィルムを好適に用いることができる。フィルム１１が操作部用カバー装置１０に装着された状態において、フィルム１１は、左右一対の芯材１２、１２の間に、芯材１２の下側を通って張り渡されている。フィルム１１は、可撓性を有し、フィルム１１を介してキーボード５を押し下げ操作することができる。フィルム１１は、透明性を有し、キーボード５を覆った状態においてキーボード５を視認することができる。
【００１４】
一対のフィルム保持部２０，２０は、図３に示すように、キーボード５が載置される医療用カート２に対して着脱自在である。すなわち、一対のフィルム保持部２０，２０は、汎用の医療用カート２に後付けして用いることができる。一対のフィルム保持部２０の各々は、左右対称に構成されている。以下、右側のフィルム保持部２０について説明して、左側のフィルム保持部２０についての説明を省略する。
【００１５】
フィルム保持部２０は、図４に示すように、芯材１２の両端部を支持している。フィルム保持部２０は、芯材１２の前端を支持する前支持部２１と、芯材１２の後端を支持する後支持部２２を有している。前支持部２１と後支持部２２は、鏡面対称に構成されている。以下、前支持部２１について説明して、後支持部２２についての説明を省略する。
【００１６】
前支持部２１は、図２から図４に示すように、固定部材３０、回転部材４０を有している。固定部材３０は天板３に対して固定されている。回転部材４０は、固定部材３０に対して回転して、フィルム１１の巻き取り及び引き出しを行う。
【００１７】
固定部材３０は、立壁部３１、軸受け部３２、クランプ部３３を有している。立壁部３１は、フィルム保持部２０が天板３に取り付けられた状態において、上下左右に延びた板状をなしている。軸受け部３２は、立壁部３１の上面から下方に延びて、左右方向内側に向けて屈曲した切り欠き状に形成されている。クランプ部３３は、天板３の周縁に対して立壁部３１を締結する。立壁部３１がクランプ部３３によって天板３に対して締結される位置は、前後左右に移動することができる。
【００１８】
回転部材４０は、軸部４１、取っ手４２、ロック部４３、挿入部４４を有している。軸部４１は、軸受け部３２に回転自在に支持されて、一対のフィルム保持部２０，２０の回転軸を構成する。軸部４１は、外周面にねじ山を有している。取っ手４２、ロック部４３、及び挿入部４４は、前方からこの順に、軸部４１に対して取り付けられている。ロック部４３及び挿入部４４は、軸部４１が挿通されるねじ穴を有し、軸部４１に対して進退自在に取り付けられている。回転部材４０は、ロック部４３と挿入部４４の間において、軸部４１が軸受け部３２に挿入されている。
【００１９】
ロック部４３は、フィルム１１の巻き取り及び引き出しをロックする。具体的には、前支持部２１のロック部４３を軸部４１に対して後方に移動させると、ロック部４３が立壁部３１に対して押し当てられる。すると、ロック部４３と立壁部３１との間の摩擦力が増大して、回転部材４０の固定部材３０に対する回転が規制される。軸部４１は、前支持部２１の挿入部４４が立壁部３１に接触したり、後支持部２２のロック部４３が立壁部３１に接触したりすることによって、前方への移動が規制されている。例えば、ロック部４３と挿入部４４が立壁部３１を挟み込んで、回転部材４０の固定部材３０に対する回転が規制される。
【００２０】
挿入部４４は、拡径変形自在に構成されている。具体的には、挿入部４４は、略円柱状の柱状部４５と、柱状部４５の前端に設けられた鍔状の鍔部４６とを有している。挿入部４４は、鍔部４６を軸部４１に対して後方に移動させると柱状部４５の外径が拡大し、鍔部４６を軸部４１に対して前方に移動させると柱状部４５の外径が縮小する。挿入部４４は、芯材１２の内部に挿入された状態で拡径変形して、芯材１２に対して固定される。挿入部４４が芯材１２に対して固定された状態では、芯材１２と回転部材４０が一体化して共に回転する。
【００２１】
一対のフィルム保持部２０，２０は、図３に示すように、キーボード５を左右（厚さ方向と直交する方向）から挟み込んでいる。詳細には、一対のフィルム保持部２０，２０は、左右の立壁部３１，３１がキーボード５の左面と右面に接触して、キーボード５を天板３に対して保持している。この構成によれば、電子機器４の意図しない落下を抑制できる。また、電子機器４がノート型ＰＣの場合には、ディスプレイ７の開閉が容易になる。
【００２２】
続いて、本実施形態の使用態様の一例について図５を参照しつつ説明する。一対のフィルム保持部２０，２０のうち一方のフィルム保持部２０はフィルム１１を巻き取る巻き取り側保持部２０Ａであり、他方のフィルム保持部２０はフィルム１１が引き出される引き出し側保持部２０Ｂである。図５左上の第１図において、右側のフィルム保持部２０が巻き取り側保持部２０Ａに相当し、左側のフィルム保持部２０が引き出し側保持部２０Ｂに相当する。なお、図５においては、キーボード５を省略して描いている。
【００２３】
図５左上の第１図は、フィルム１１によってキーボード５をカバーした状態で、ユーザがキーボード５を操作した後の様子を示している。フィルム１１における網掛け模様はフィルム１１が使用済みであることを表す。ユーザは、フィルム１１の使用前又は使用後に、フィルム１１の引き出し側保持部２０Ｂの手前の位置にマークＭを付す。このマークＭは、未使用のフィルム１１と使用済みフィルム１１の境界を示す目印となる。ユーザは、巻き取り側保持部２０Ａの取っ手４２を把持して、前方から見て反時計回りに回転操作する。すると、巻き取り側保持部２０Ａに使用済みのフィルム１１が巻き取られるとともに、引き出し側保持部２０Ｂから未使用のフィルム１１が引き出される。図５右上の第２図に示すように、マークＭが巻き取り側保持部２０Ａに至ったら、巻き取り側保持部２０Ａの回転操作を停止する。この状態では、キーボード５の全域が未使用のフィルム１１で覆われて、キーボード５を清潔に操作することができる。
【００２４】
操作部用カバー装置１０は、巻き取り側保持部２０Ａを回転操作することによって、引き出し側保持部２０Ｂに保持された１ロール分のフィルム１１がなくなるまで複数回使用できる。引き出し側保持部２０Ｂに保持されたフィルム１１がなくなった場合、図５左下の第３図に示すように、巻き取り側保持部２０Ａに保持された使用済みのフィルム１１のロールを取り外して、未使用のフィルム１１のロールを装着する。
【００２５】
そして、図５右下の第４図に示すように、装着された未使用のフィルム１１を一部引き出して、左側のフィルム保持部２０に固定された芯材１２に付す。すると、左側のフィルム保持部２０によってフィルム１１の一端側が保持された状態となる。図５右下の第４図において、左側のフィルム保持部２０が巻き取り側保持部２０Ａに相当し、右側のフィルム保持部２０が引き出し側保持部２０Ｂに相当する。フィルム１１を使用した後、ユーザは、巻き取り側保持部２０Ａの取っ手４２を把持して、前方から見て時計回りに回転操作する。すると、引き出し側保持部２０Ｂから、未使用のフィルム１１が引き出され、引き出し側保持部２０Ｂに保持された１ロール分のフィルム１１がなくなるまで複数回使用できる。
【００２６】
以上説明したように、操作部用カバー装置１０は、１ロール分のフィルム１１を使い終わる毎に、一対のフィルム保持部２０，２０における巻き取り側保持部２０Ａと引き出し側保持部２０Ｂが変更される。この構成によれば、フィルム１１の交換の際に、回収済みのフィルム１１と芯材１２に巻き回された未使用のフィルム１１とを入れ替えるだけでよく、フィルム１１の交換に係る手間を省くことができる。また、使用済みのフィルム１１が未使用時に巻き回されていた芯材１２を、次に使うフィルム１１の回収に利用することができ手軽である。
【００２７】
続いて、本実施形態の効果について説明する。本実施形態の操作部用カバー装置１０によれば、巻き取り側保持部２０Ａによって使用済みのフィルム１１を回収し、引き出し側保持部２０Ｂから未使用のフィルム１１を供給することができる。このため、キーボード５を清潔なフィルム１１でカバーできる。したがって、操作部用カバー装置１０を用いることによって、キーボード５を清潔に操作することができる。特に、本実施形態の操作部用カバー装置１０は、フィルム１１においてキーボード５をカバーする部分を手軽に交換でき、ユーザが接触する部分が使い回されることを抑制できる。このため、新型コロナウイルスなどの感染症対策として有効である。
【００２８】
本実施形態の一対のフィルム保持部２０，２０は、キーボード５が載置される医療用カート２に対して着脱自在である。この構成によれば、医療用カート２に一対のフィルム保持部２０，２０を設けることができ、医療用カート２に載置されたキーボード５を清潔なフィルム１１でカバーできる。
【００２９】
本実施形態のキーボード５は、ボード形状を有しており、一対のフィルム保持部２０，２０は、キーボード５を厚さ方向と直交する方向から挟み込む。この構成によれば、医療用カート２に載置されたキーボード５を、一対のフィルム保持部２０，２０によって安定的に保持できる。
【００３０】
本実施形態において、フィルム１１は、芯材１２に巻き回されており、一対のフィルム保持部２０，２０の各々は、芯材１２の両端部を支持する。この構成によれば、芯材１２に巻き回されたフィルム１１を使用して、手軽にキーボード５をカバーできる。
【００３１】
本実施形態の一対のフィルム保持部２０，２０の各々は、フィルム１１の巻き取り及び引き出しをロックするロック部４３を有している。この構成によれば、フィルム１１に張力を掛けた状態でキーボード５をカバーすることができ、キーボード５の操作性を向上できる。
【００３２】
実施形態２の操作部用カバー装置１１０として、図６に示すように、据え置き型の電子機器１０４に用いられるものを例示する。電子機器１０４は、キーボード（操作部）１０５と、図示しない本体と、ディスプレイ１０７を備えたデスクトップ型ＰＣである。
【００３３】
操作部用カバー装置１１０は、キーボード５が載置されるベース部１５０を備えている。ベース部１５０は、キーボード５よりも一回り大きい板状をなしている。一対のフィルム保持部１２０，１２０は、ベース部１５０の両側に固定されている。フィルム保持部１２０は、ベース部１５０と一体に設けられた固定部１３０と、回転部材１４０とを有している。固定部１３０は、実施形態１の軸受け部３２と同様の軸受け部（図示せず）を有している。回転部材１４０は、実施形態１の回転部材４０と同様の構成である。
【００３４】
図６において、一対のフィルム保持部１２０，１２０のうち右側のフィルム保持部１２０はフィルム１１を巻き取る巻き取り側保持部２０Ａであり、左側のフィルム保持部１２０はフィルム１１が引き出される引き出し側保持部２０Ｂである。巻き取り側保持部２０Ａ及び引き出し側保持部２０Ｂによるフィルム１１の巻き取り及び引き出し態様は、実施形態１と同様であり、その説明を省略する。
【００３５】
本実施形態の操作部用カバー装置１１０は、一対のフィルム保持部１２０，１２０を他部材に固定しなくてもよい。このため、据え置き型のキーボード１０５に好適に用いることができる。
【００３６】
実施形態３の操作部用カバー装置２１０は、図８に示すように、一対のフィルム保持部２２０，２２０を備えている。本実施形態は、一対のフィルム保持部２２０，２２０の構成が実施形態１の一対のフィルム保持部２０，２０と相違する。本実施形態において、実施形態１及び実施形態２と同様の構成、作用、及び効果については説明を省略する。
【００３７】
操作部用カバー装置２１０は、図７及び図８に示すように、キーボード５が載置されるベース部２５０を備えている。ベース部２５０は、左右に伸縮自在に構成されている。この構成によれば、サイズが異なるキーボード５に合わせてベース部２５０の左右の幅を変更することができる。ベース部２５０は、キーボード５を左右から挟み込む挟み込み部２５１を有している。挟み込み部２５１は、キーボード５を挟み込む方向に付勢されている。
【００３８】
一対のフィルム保持部２２０，２２０は、ベース部２５０の両側に固定されている。フィルム保持部２２０は、芯材１２の前端を支持する前支持部２２１と、芯材１２の後端を支持する後支持部２２２を有している。
【００３９】
前支持部２２１は、ベース部２５０と一体に設けられた前固定部２３０と、前回転部２４０とを有している。前回転部２４０は、前固定部２３０に対して回転して、フィルム１１の巻き取り及び引き出しを行う。
【００４０】
前固定部２３０は、前回転部２４０を支持する前軸受け部２３２を有している。前軸受け部２３２は、ベース部２５０に対する前回転部２４０の角度（向き）を変更自在な形態で前回転部２４０を支持している。前軸受け部２３２は、前回転部２４０の先端が後を向くように支持する第１の角度と、前回転部２４０の先端が上を向くように支持する第２の角度との間で変位する。操作部用カバー装置２１０は、前軸受け部２３２の第１の角度において、フィルム１１の巻き取り及び引き出しを行い、前軸受け部２３２の第２の角度において、フィルム１１交換を行う構成である。
【００４１】
前回転部２４０は、前軸部２４１、取っ手２４２、回転規制部２４３、前挿入部２４４を有している。前軸部２４１は、前軸受け部２３２に回転自在に支持され、一対のフィルム保持部２２０，２２０の回転軸を構成する。取っ手２４２は、前軸受け部２３２よりも一回り大きい円盤状をなし、前軸受け部２３２に接して前軸部２４１に取り付けられている。ユーザは、図８に示す巻き取り側保持部２０Ａの取っ手２４２を把持して、前方から見て反時計回りに回転操作して、フィルム１１の巻き取りを行う。
【００４２】
回転規制部２４３は、図７に示すように、前軸受け部２３２と取っ手２４２の接合面に設けられたラチェット機構によって構成されている。このラチェット機構は、フィルム１１を巻き取る方向及び引き出す方向への前回転部２４０の回転を許容し、これと反対向きへの前回転部２４０の回転を規制する。前挿入部２４４は、先端に向かうにつれて先細る形状をなし、芯材１２に挿入されている。
【００４３】
後支持部２２２は、ベース部２５０と一体に設けられた後固定部２３５と、後回転部２４５とを有している。後回転部２４５は、後固定部２３５に対して回転して、フィルム１１の巻き取り及び引き出しを行う。
【００４４】
後固定部２３５は、後回転部２４５を支持する後軸受け部２３７を有している。後軸受け部２３７は、上方に向けて開放した溝状をなし、後回転部２４５を上下に脱着自在である。後回転部２４５は、後軸部２４６及び後挿入部２４９を有している。後軸部２４６は、後軸受け部２３７に回転自在に支持され、一対のフィルム保持部２２０，２２０の回転軸を構成する。
【００４５】
後挿入部２４９は、先端に向かうにつれて先細る形状をなし、芯材１２に挿入されている。後軸部２４６が後軸受け部２３７に支持された状態において、後挿入部２４９は弾性部材２４９Ａによって前方に向けて付勢されている。前挿入部２４４及び後挿入部２４９は、弾性部材２４９Ａの付勢力によって芯材１２を挟み込んで、芯材１２に対して固定されている。前挿入部２４４及び後挿入部２４９が芯材１２に固定された状態では、芯材１２と前回転部２４０及び後回転部２４５が一体化して共に回転する。
【００４６】
続いて、本実施形態の使用態様の一例について図８を参照しつつ説明する。一対のフィルム保持部２２０，２２０のうち一方のフィルム保持部２２０はフィルム１１を巻き取る巻き取り側保持部２０Ａであり、他方のフィルム保持部２２０はフィルム１１が引き出される引き出し側保持部２０Ｂである。本実施形態の操作部用カバー装置２１０は、実施形態１の操作部用カバー装置１０とは異なり、巻き取り側保持部２０Ａと引き出し側保持部２０Ｂが変更されない。つまり、フィルム１１を巻き取る方向と、フィルム１１が引き出される方向は一方向に定まっている。
【００４７】
一対のフィルム保持部２２０，２２０にフィルム１１を取り付ける場合には、まず、図８左上の第１図に示すように前支持部２２１において前回転部２４０の先端が上を向くようにする。この状態において、図８右上の第２図に示すように、右側と左側の前回転部２４０に芯材１２，１２をそれぞれ固定する。左側の前回転部２４０に固定された芯材１２には未使用のフィルム１１が巻き回されている。装着された未使用のフィルム１１を一部引き出して、右側の前回転部２４０に固定された芯材１２に付す。
【００４８】
次に、図８右上の第２図に示すように、右側と左側の前回転部２４０に固定された芯材１２，１２の上端に、後回転部２４５，２４５をそれぞれ固定する。
【００４９】
次に、図８左下の第３図に示すように、後軸部２４６を後軸受け部２３７に上方から嵌め込むとともに、前回転部２４０の先端が後を向くようにする。すると、図８右下の第４図のように、フィルム１１によってキーボード５がカバーされた状態となる。この状態で、巻き取り側保持部２０Ａを回転させて、引き出し側保持部２０Ｂに保持された１ロール分のフィルム１１がなくなるまで複数回使用できる。引き出し側保持部２０Ｂに保持された１ロール分のフィルム１１がなくなった場合には、上記の手順とは逆の手順で使用済みのフィルム１１を取り外して、再度未使用のフィルム１１を装着すればよい。
【００５０】
本開示は上記記述及び図面によって説明した実施形態に限定されるものではなく、例えば次のような実施形態も本開示の技術的範囲に含まれる。
【００５１】
（１）操作部用カバー装置は、キーボード以外にも、タブレット型ＰＣの操作部や、ＰＣ以外の電子機器の操作部をカバーするものであってもよい。
【００５２】
（２）一対のフィルム保持部が着脱される台車は、医療用カートに限られない。台車は、配膳車や運搬台車等の医療用でない台車であってもよい。
【００５３】
（３）操作部はボード形状に限られない。例えば、操作部は、台車に組み込まれた操作パネル等であってもよい。また、操作部の操作態様は、押し下げ式に限られず、接触式等であってもよい。
【００５４】
（４）フィルム保持部の構成は変更可能である。一対のフィルム保持部は、巻き取り側フィルム保持部と引き出し側フィルム保持部が変更されなくてもよい。また、フィルムが巻き回された状態でケースに収容されており、引き出し側フィルム保持部は、フィルムが収容されたケースを保持していてもよい。
【００５５】
（５）一対のフィルム保持部は、緩衝材等を介してキーボードを保持してもよい。
【００５６】
（６）一対のフィルム保持部の回転操作は手動に限られず、電動で行われてもよい。
【００５７】
（７）ロック部の構成は変更可能である。ロック部は、固定部材に設けられた係止片を回転部材に係止させることで、フィルムの巻き取り及び引き出しをロックしてもよい。
【符号の説明】
【００５８】
２…医療用カート（台車）、５…キーボード（操作部）、１０，１１０，２１０…操作部用カバー装置、１１…フィルム、１２…芯材、２０，１２０，２２０…フィルム保持部、２０Ａ…巻き取り側保持部、２０Ｂ…引き出し側保持部、４３…ロック部、１５０，２５０…ベース部
【要約】
【課題】操作部を清潔に操作することができる操作部用カバー装置を提供する。
【解決手段】操作部用カバー装置１０は、操作部５をフィルム１１で覆う操作部用カバー装置１０であって、フィルム１１の両側をそれぞれ保持する一対のフィルム保持部２０，２０を備え、一対のフィルム保持部２０，２０のうち一方のフィルム保持部２０はフィルム１１を巻き取る巻き取り側保持部２０Ａであり、他方のフィルム保持部２０はフィルム１１が引き出される引き出し側保持部２０Ｂである。
【選択図】図１【図１】
0006912067.tif 000002
【図２】
0006912067.tif 000003
【図３】
0006912067.tif 000004
【図４】
0006912067.tif 000005
【図５】
0006912067.tif 000006
【図６】
0006912067.tif 000007
【図７】
0006912067.tif 000008
【図８】
0006912067.tif 000009